(57)【要約】      （修正有）【課題】ネックレスやペンダントに使用されるチェーンや紐類の所定位置に簡単に取り付け取り外すことができる上、簡単にチェーンや紐類上を移動することがなく、しかも装身具用の下げ飾りを美しく飾ることができる吊下げ式装身具を提供しようとするものである。【解決手段】チェーンに吊り下げて使用する装身具本体２と、装身具本体の上部に設けたチェーン３を挿通するチェーン挿通部４と、装身具本体の背面側においてチェーン挿通部に形成した開口部５と、一端を装身具本体の背面側に保持され、他端を前記開口部において露出したチェーンに所定の加圧力で押圧するよう付勢した押圧部材６とを備え、チェーンをチェーン挿通部に挿通した後、前記開口部において露出したチェーンに押圧部材で押圧して、装身具本体をチェーンの適所において固着することができるようにした。【選択図】  図４
0003129475.tif 000002
【実用新案登録請求の範囲】
【請求項１】
チェーンに吊り下げて使用する装身具本体と、装身具本体の上部に設けたチェーンを挿通するチェーン挿通部と、装身具本体の背面側においてチェーン挿通部に形成した開口部と、一端を装身具本体の背面側に保持され、他端を前記開口部において露出したチェーンに所定の加圧力で押圧するよう付勢した押圧部材とを備え、
チェーンをチェーン挿通部に挿通した後、前記開口部において露出したチェーンに押圧部材で押圧して、装身具本体をチェーンの適所において固着することができるようにしたことを特徴とする吊下げ式装身具。
【請求項２】
装身具本体の上部に設けたチェーンを挿通するチェーン挿通部が、装身具本体の上部に逆Ｕ字状に形成され、その一部を切り欠いてチェーンを露出させるための開口部としたことを特徴とする請求項１記載の吊下げ式装身具。
【請求項３】
装身具本体の上部に設けたチェーンを挿通するチェーン挿通部が、装身具本体の上部に筒状に形成され、その一部を切り欠いてチェーンを露出させるための開口部としたことを特徴とする請求項１記載の吊下げ式装身具。
【請求項４】
装身具本体の上部に設けたチェーンを挿通するチェーン挿通部が、装身具本体の背面に溝状に形成され、この溝状の開口部分をチェーンを露出させるための開口部としたことを特徴とする請求項１記載の吊下げ式装身具。
【請求項５】
押圧部材が、装身具本体の背面側の適所に軸着され、軸着部分の周面に設けた所定の断面形状の当接部位に、装身具本体の背面側に取り付けた板バネを当接させて、押圧部材の開閉操作に伴い、押圧部材が板バネの付勢力で前記開口部において露出したチェーンを押圧する位置と、押圧を解除する位置とを選択できるようにしたことを特徴とする請求項１ないし４のいずれか記載の吊下げ式装身具。
【請求項６】
押圧部材が、装身具本体の背面側の適所に軸着されたバネ材からなり、常態において前記開口部において露出したチェーンを押圧するよう付勢したことを特徴とする請求項１ないし４のいずれか記載の吊下げ式装身具。
【考案の詳細な説明】
【技術分野】
【０００１】
この考案は吊下げ式装身具に関し、ネックレスやペンダントに使用されるチェーンや紐類に簡単に取り付け取り外すことができ、しかも装身具用の下げ飾りを美しく飾ることができる吊下げ式装身具に関する。
【背景技術】
【０００２】
従来の装身具用下げ飾りとしては、装身具の上端にバチカンや引き輪を取り付けたものがほとんどで、このバチカンや引き輪にチェーンや紐類を通してネックレスやペンダントとして使用していた。このようなバチカンや引き輪の例として、特開平７−２４１２０３号公報（特許文献１参照）、特開２００１−４６１２５公報（特許文献２参照）、実開平４−６６９０７号公報（特許文献３参照）等がある。
また従来、特開昭６０−２０７６０７号公報（特許文献４参照）のように、丸玉を連珠状に繋いだネックレスの飾りとして、１個の丸玉を包み込む把持具を用いたものも提案されている。
【０００３】
もちろん上記の装身具用下げ飾りは、チェーンや紐類を開放してバチカンや引き輪から抜き取ることにより、簡単に取り付け取り外すことができるものである。
【特許文献１】特開平７−２４１２０３号公報
【特許文献２】特開２００１−４６１２５公報
【特許文献３】実開平４−６６９０７号公報
【特許文献４】特開昭６０−２０７６０７号公報
【考案の開示】
【考案が解決しようとする課題】
【０００４】
しかしながら、上記従来例の装身具用下げ飾りは、バチカンを備えたものも他の止め金具を使用するものも、チェーンや紐類に一点で吊り下げられ、丸玉を連珠状に繋いだネックレスにおいては各丸玉間に係合して位置ずれを起さないものの、チェーン類においては簡単に滑って位置ずれを起してしまう。
【０００５】
そのような場合には、装身具用下げ飾りだけでなく、チェーンや紐類の連結金具もその重みで首の後ろから装身具用下げ飾りに近い位置まで滑り降りてきてしまい、装身具用下げ飾りの装飾性を損なってしまうという欠点があった。
【０００６】
そのため、チェーンや紐類にバチカンや引き輪に代えてシリコンゴムを内蔵した吊り金具を挿通し、シリコンゴムの弾性でチェーンや紐類がスライドして移動することを押さえ込むようにしたものも考えられる。
しかしながら、シリコンゴムを内蔵した吊り金具はシリコンゴムが時間の経過とともに磨耗し、その粉塵が散逸してしまったり、磨耗とともにチェーンや紐類を挟着する力がなくなってしまうという欠点があった。
【０００７】
この考案の吊下げ式装身具は従来例の上記問題点を解決しようとするもので、ネックレスやペンダントに使用されるチェーンや紐類の所定位置に簡単に取り付け取り外すことができる上、簡単にチェーンや紐類上を移動することがなく、しかも装身具用の下げ飾りを美しく飾ることができる吊下げ式装身具を提供しようとするものである。
【課題を解決するための手段】
【０００８】
すなわちこの考案の吊下げ式装身具は、チェーンに吊り下げて使用する装身具本体と、装身具本体の上部に設けたチェーンを挿通するチェーン挿通部と、装身具本体の背面側においてチェーン挿通部に形成した開口部と、一端を装身具本体の背面側に保持され、他端を前記開口部において露出したチェーンに所定の加圧力で押圧するよう付勢した押圧部材とを備え、
チェーンをチェーン挿通部に挿通した後、前記開口部において露出したチェーンに押圧部材で押圧して、装身具本体をチェーンの適所において固着することができるようにしたことを特徴とするものである。
【０００９】
またこの考案の吊下げ式装身具は、前記装身具本体の上部に設けたチェーンを挿通するチェーン挿通部が、装身具本体の上部に逆Ｕ字状に形成され、その一部を切り欠いてチェーンを露出させるための開口部としたことをも特徴とするものである。
【００１０】
この考案の吊下げ式装身具は、前記装身具本体の上部に設けたチェーンを挿通するチェーン挿通部が、装身具本体の上部に筒状に形成され、その一部を切り欠いてチェーンを露出させるための開口部としたことをも特徴とするものである。
【００１１】
この考案の吊下げ式装身具は、前記装身具本体の上部に設けたチェーンを挿通するチェーン挿通部が、装身具本体の背面に溝状に形成され、この溝状の開口部分をチェーンを露出させるための開口部としたことをも特徴とするものである。
【００１２】
この考案の吊下げ式装身具は、前記押圧部材材が、装身具本体の背面側の適所に軸着され、軸着部分の周面に設けた所定の断面形状の当接部位に、装身具本体の背面側に取り付けた板バネを当接させて、押圧部材の開閉操作に伴い、押圧部材が板バネの付勢力で前記開口部において露出したチェーンを押圧する位置と、押圧を解除する位置とを選択できるようにしたことをも特徴とするものである。
【００１３】
この考案の吊下げ式装身具は、前記押圧部材が、装身具本体の背面側の適所に軸着されたバネ材からなり、常態において前記開口部において露出したチェーンを押圧するよう付勢したことをも特徴とするものである。
【考案の効果】
【００１４】
この考案の吊下げ式装身具は上記のように構成したので、ネックレスやペンダントに使用されるチェーンや紐類の所定位置に簡単に取り付け取り外すことができる。その場合、押圧部材が板バネやバネ材の所定の付勢力でチェーン類を確実に保持することができ、シリコンゴムによる弾性を利用した場合のようにチェーンが滑って移動するという欠点を解消することができた。
また、取り付けた状態においては簡単にチェーンや紐類上を移動することがなく、しかも装身具用の下げ飾りをバランスよく、しかも非常に美しく飾ることができる。
【考案を実施するための最良の形態】
【００１５】
以下にこの考案による吊下げ式装身具の実施の形態を図面とともに詳細に説明する。
図１はこの考案の吊下げ式装身具の１実施例を示し、押圧部材を閉じた状態の正面図、図２はその背面図、図３はその側面図、図４はその斜視図である。図５は押圧部材を開いた状態の背面図、図６はその側面図、図７はその斜視図である。
また、図８はこの考案の吊下げ式装身具の他の実施例を示す正面図、図９はその断面図、図１０はこの考案の吊下げ式装身具のさらに別の実施例を示す、押圧部材を閉じた状態の斜視図、図１１は押圧部材を閉じた状態の側面図、図１２はその斜視図である。
【００１６】
図１ないし図７において、１は吊下げ式装身具を示すものである。この吊下げ式装身具１は望ましくは金や銀、プラチナ等の貴金属で作製された装身具本体２と、装身具本体２の上部に設けたチェーン３を挿通するチェーン挿通部４と、装身具本体２の背面側においてチェーン挿通部４に形成した開口部５と、一端を装身具本体２の背面側に保持され、他端を前記開口部５において露出したチェーン３に所定の加圧力で押圧するよう付勢した押圧部材６とを備えている。
【００１７】
上記装身具本体２の上部に設けたチェーン３を挿通するチェーン挿通部４は、装身具本体２の上部に逆Ｕ字状に形成され、その一部を切り欠いてチェーン３を露出させるための開口部５を形成してある。
【００１８】
上記押圧部材６は円弧状をなしていて、基端を装身具本体２の背面側の適所に軸着され、先端を前記開口部５において露出したチェーン３を押圧する位置に圧入するようになっている。すなわち，上記押圧部材６は、その軸着部分の周面に設けた所定の断面形状の当接部位７，８に、装身具本体２の背面側に取り付けた板バネ９を当接させている。１０はこの板バネ９を装身具本体２の内面に沿って保持するための係止部である。
【００１９】
したがって、板バネ９を当接部位７に当接させたときは、図１ないし図４のように押圧部材６が板バネ９の付勢力で前記開口部５において露出したチェーン３を押圧する位置となり、板バネ９を当接部位８に当接させたときは、図５ないし図７のように押圧が解除される位置となるよう、それぞれのステージを選択することができる。
【００２０】
そして、上記した図１ないし図４の押圧部材６が板バネ９の付勢力で前記開口部５において露出したチェーン３を押圧する位置においては、押圧部材６の先端の折返し部１１がチェーン挿通部４に保持されたチェーン３をチェーン挿通部４の内側に押し込むよう作用し、チェーン３の脱落を確実に防止するのである。すなわち、押圧部材６が板バネ９の付勢力でチェーン３を押圧して確実に保持するので、シリコンゴムによる弾性を利用した場合のようにチェーンが滑って移動するという欠点が解消できた。
図において１２は押圧部材６を開閉操作するためのつまみである。
【００２１】
この実施例の吊下げ式装身具の使用に際しては、板バネ９を当接部位８に当接させて、図５ないし図７のように押圧部材６を開放した状態において、チェーン３をチェーン挿通部４に挿通し、図１ないし図４のように，つまみ１２を押して押圧部材６を閉じ、前記開口部５において露出したチェーン３をこの押圧部材６で押圧すれば、装身具本体２をチェーン３の適所において固着することができるのである。
【００２２】
次に、図８、図９にこの考案の吊下げ式装身具の他の実施例を示す。
この図８、図９において、押圧部材２６は、装身具本体２２の背面側の適所に支軸２５によって軸支されたバネ材からなっている。
【００２３】
また、装身具本体２２の一対の側壁にはチェーン２３を挿通するチェーン挿通孔２４が形成されており、例えばチェーン２３の先端にピン（図示せず）等を取り付けて、このピンによってチェーン挿通孔２４へチェーン２３を挿通するものである。
その際、チェーン２３は一対の側壁の間において露出しており、バネ材からなる押圧部材２６は常態において、前記側壁間において露出したチェーン２３を押圧するよう付勢されているのである。すなわち、バネ材からなる押圧部材２６の付勢力でチェーン２３を押圧して確実に保持するので、シリコンゴムによる弾性を利用した場合のようにチェーンが滑って移動するという欠点が解消できた。
【００２４】
上記においては装身具本体２２の一対の側壁にチェーン２３を挿通するチェーン挿通孔２４を形成した場合について説明したが、装身具本体２２の上部に設けたチェーン２３を挿通するチェーン挿通孔２４が、装身具本体２２の上部を筒状に形成したものであってもよい。その場合には、筒状のチェーン挿通孔２４の一部を切り欠いて、チェーン２３を露出させるための開口部とすることもできる。
【００２５】
装身具本体２２は、上記実施例に示した形状や構造に限られるものではなく、チェーン３，２３に吊り下げられる機能を有していれば、どのような形状、構造であってもよい。またその外面の形状も、円形、楕円形、平板状その他適宜の装飾形状とすることができる。
【００２６】
次に、図１０ないし図１２にこの考案の吊下げ式装身具のさらに別の実施例を示す。
この図１０ないし図１２において、吊下げ式装身具３１は望ましくは金や銀、プラチナ等の貴金属で作製された装身具本体３２と、装身具本体３２の上部に設けたチェーン３３を挿通するチェーン挿通部３４と、装身具本体３２の背面側においてチェーン挿通部３４に形成した開口部３５と、一端を装身具本体３２の背面側に保持され、他端を前記開口部３５において露出したチェーン３３に所定の加圧力で押圧するよう付勢した押圧部材３６とを備えている。
【００２７】
上記装身具本体３２の上部に設けたチェーン３３を挿通するチェーン挿通部３４は、装身具本体２の背面に溝状に形成することによりチェーン３を露出させるための開口部３５を形成してある。
【００２８】
上記押圧部材３６は円弧状をなしていて、基端を装身具本体３２の背面側の適所に軸着され、先端を前記開口部３５において露出したチェーン３３を押圧する位置に圧入するようになっている。すなわち，上記押圧部材３６は、その軸着部分の周面に設けた所定の断面形状の当接部位３７，３８に、装身具本体３２の背面側に取り付けた板バネ３９を当接させている。４０はこの板バネ３９を装身具本体２の内面に沿って保持するための係止部である。
【００２９】
したがって、板バネ３９を当接部位３７に当接させたときは、図１０のように押圧部材３６が板バネ３９の付勢力で前記開口部３５において露出したチェーン３３を押圧する位置となり、板バネ３９を当接部位３８に当接させたときは、図１１ないし図１２のように押圧が解除される位置となるよう、それぞれのステージを選択することができる。
【００３０】
そして、上記した図１０の押圧部材３６が板バネ３９の付勢力で前記開口部３５において露出したチェーン３３を押圧する位置においては、押圧部材３６の先端の折返し部４１がチェーン挿通部３４に保持されたチェーン３３をチェーン挿通部３４の内側に押し込むよう作用し、チェーン３３の脱落を確実に防止するのである。すなわち、押圧部材３６が板バネ３９の付勢力でチェーン３３を押圧して確実に保持するので、シリコンゴムによる弾性を利用した場合のようにチェーンが滑って移動するという欠点が解消できた。
図において４２は押圧部材３６を開閉操作するためのつまみである。
【００３１】
この実施例の吊下げ式装身具の使用に際しては、板バネ３９を当接部位３８に当接させて、図１１ないし図１２のように押圧部材３６を開放した状態において、チェーン３３をチェーン挿通部３４に挿通し、図１０のように，つまみ４２を押して押圧部材３６を閉じ、前記開口部３５において露出したチェーン３３をこの押圧部材３６で押圧すれば、装身具本体３２をチェーン３３の適所において固着することができるのである。
【図面の簡単な説明】
【００３２】
【図１】この考案の吊下げ式装身具の１実施例を示し、押圧部材を閉じた状態の正面図である。
【図２】その背面図である。
【図３】その側面図である。
【図４】その斜視図である。
【図５】押圧部材を開いた状態の背面図である。
【図６】その側面図である。
【図７】その斜視図である。
【図８】この考案の吊下げ式装身具の他の実施例を示す正面図である。
【図９】その断面図である。
【図１０】この考案の吊下げ式装身具のさらに別の実施例を示す、押圧部材を閉じた状態の斜視図である。
【図１１】押圧部材を閉じた状態の側面図である。
【図１２】その斜視図である。
【符号の説明】
【００３３】
１  吊下げ式装身具
２  装身具本体
３  チェーン
４  チェーン挿通部
５  開口部
６  押圧部材
７，８  当接部位
９  板バネ
１０  係止部
１１  折返し部
１２  つまみ
２２  装身具本体
２３  チェーン
２４  チェーン挿通孔
２５  支軸
２６  押圧部材
３１  吊下げ式装身具
３２  装身具本体
３３  チェーン
３４  チェーン挿通部
３５  開口部
３６  押圧部材
３７，３８  当接部位
３９  板バネ
４０  係止部
４１  折返し部
４２  つまみ
【図１】
0003129475.tif 000003
【図２】
0003129475.tif 000004
【図３】
0003129475.tif 000005
【図４】
0003129475.tif 000006
【図５】
0003129475.tif 000007
【図６】
0003129475.tif 000008
【図７】
0003129475.tif 000009
【図８】
0003129475.tif 000010
【図９】
0003129475.tif 000011
【図１０】
0003129475.tif 000012
【図１１】
0003129475.tif 000013
【図１２】
0003129475.tif 000014